【手続補正書】
【提出日】平成29年5月26日(2017.5.26)
【手続補正１】
【補正対象書類名】特許請求の範囲
【補正対象項目名】全文
【補正方法】変更
【補正の内容】
【特許請求の範囲】
【請求項１】
動的スペクトルポリシコントローラ（ＤＰＣ）プロセッサを備える動的スペクトルポリシコントローラと、
動的スペクトルコントローラ（ＤＳＣ）プロセッサを備えるＤＳＣと、
ｅＮｏｄｅＢプロセッサを備えるｅＮｏｄｅＢを有し、
前記ＤＳＣプロセッサは、
動的スペクトルアービトラージアプリケーションパート（ＤＳＡＡＰ）プロトコルを使用して第１の通信リンクを介して前記ＤＳＣと通信することを含む動作を、プロセッサ実行可能命令を用いて実行するように構成され、
前記ＤＳＣプロセッサは、
前記ｅＮｏｄｅＢが入札エリアの地理的境界内部にある覆域エリアを有すると認定し、
前記ｅＮｏｄｅＢから適格かつアクティブなワイヤレスデバイスのリストを受信し、
前記受信した適格かつアクティブなワイヤレスデバイスのリスト内のワイヤレスデバイスについての測定レポート及び位置情報を受信し、
前記受信した測定レポートに基づいて、ターゲットｅＮｏｄｅＢの信号強度を特定し、
前記ターゲットｅＮｏｄｅＢの前記特定された信号強度と、地理的境界に対する前記ワイヤレスデバイスの場所とに基づいて、前記適格かつアクティブなデバイスのリストからハンドインするワイヤレスデバイスを選択し、
ハンドインに選択された前記ワイヤレスデバイスにサービスしているｅＮｏｄｅＢにハンドイン開始通信メッセージを送信することを含む動作を、プロセッサ実行可能命令を用いて実行するように構成され、
前記ｅＮｏｄｅＢプロセッサは、
前記ＤＳＣから、前記適格かつアクティブなワイヤレスデバイスのリストに対する要求を受信し、
前記ｅＮｏｄｅＢに取り付けられたアクティブなワイヤレスデバイスの往復遅延（ＲＴＤ）値を計算し、
前記ｅＮｏｄｅＢに取り付けられた前記アクティブなワイヤレスデバイスについての測定レポート及び位置情報を受信し、
前記計算されたＲＴＤ値、前記受信した測定レポート、及び前記受信した位置情報に基づいて、適格かつアクティブなワイヤレスデバイスを識別し、
前記識別されたワイヤレスデバイスを含むように、前記適格かつアクティブなワイヤレスデバイスのリストを生成し、
前記生成された適格かつアクティブなワイヤレスデバイスのリストを前記ＤＳＣに送信し、
前記ハンドイン開始通信メッセージを前記ＤＳＣから受信し、
前記受信したハンドイン開始通信メッセージで識別されるワイヤレスデバイスを前記ターゲットｅＮｏｄｅＢにハンドオーバすることをさらに含む動作を、プロセッサ実行可能命令を用いて実行するように構成される、動的スペクトルアービトラージ（ＤＳＡ）システム。
【請求項２】
前記ＤＳＣは第１の電気通信ネットワークに含まれ、前記ＤＰＣプロセッサは、
第２の電気通信ネットワーク内の第２のＤＳＣへの第２の通信リンクを確立し、
無線周波数（ＲＦ）スペクトル資源への要求を前記ＤＳＣから受信し、
前記第２の電気通信ネットワーク内の割り当てに利用可能なＲＦスペクトル資源の量を特定し、
前記第２の電気通信ネットワークの利用可能なＲＦスペクトル資源の一部を前記第１の電気通信ネットワークによるアクセス及び使用に動的に割り当て、
割り当てられたＲＦスペクトル資源の使用を開始し得ることを前記ＤＳＣに通知することを含む動作を、プロセッサ実行可能命令を用いて実行するように構成される、請求項１に記載のＤＳＡシステム。
【請求項３】
動的スペクトルアービトラージアプリケーションパート（ＤＳＡＡＰ）プロトコルを使用し、第１の通信リンクを介して動的スペクトルポリシコントローラ（ＤＰＣ）と動的スペクトルコントローラ（ＤＳＣ）との間で情報を伝達し、
動的スペクトルコントローラ（ＤＳＣ）のプロセッサにおいて、入札エリアの地理的境界内部にある覆域エリアを有するｅＮｏｄｅＢを識別し、
前記識別されたｅＮｏｄｅＢから適格かつアクティブなワイヤレスデバイスのリストを受信し、
前記受信した適格かつアクティブなワイヤレスデバイスのリスト内のワイヤレスデバイスについての測定レポート及び位置情報を受信し、
前記受信した測定レポートに基づいて、ターゲットｅＮｏｄｅＢの信号強度を特定し、
前記ターゲットｅＮｏｄｅＢの前記特定された信号強度と、地理的境界に対する前記ワイヤレスデバイスの場所とに基づいて、前記適格かつアクティブなデバイスのリストからハンドインするワイヤレスデバイスを選択し、
ハンドインに選択された前記ワイヤレスデバイスにサービスしているｅＮｏｄｅＢにハンドイン開始通信メッセージを送信し、
前記ｅＮｏｄｅＢにおいて、前記適格かつアクティブなワイヤレスデバイスのリストに対する要求を前記ＤＳＣから受信し、
前記ｅＮｏｄｅＢにおいて、前記ｅＮｏｄｅＢに取り付けられたアクティブなワイヤレスデバイスの往復遅延（ＲＴＤ）値を計算し、
前記ｅＮｏｄｅＢにおいて、前記ｅＮｏｄｅＢに取り付けられた前記アクティブなワイヤレスデバイスについての測定レポート及び位置情報を受信し、
前記ｅＮｏｄｅＢにおいて、前記計算されたＲＴＤ値、前記受信した測定レポート、及び前記受信した位置情報に基づいて、適格かつアクティブなワイヤレスデバイスを識別し、
前記ｅＮｏｄｅＢにおいて、前記識別されたワイヤレスデバイスを含むように、前記適格かつアクティブなワイヤレスデバイスのリストを生成し、
前記生成された適格かつアクティブなワイヤレスデバイスのリストを、前記ｅＮｏｄｅＢから前記ＤＳＣに送信し、
前記ｅＮｏｄｅＢにおいて、前記ＤＳＣから送信された前記ハンドイン開始通信メッセージを受信し、
前記受信したハンドイン開始通信メッセージで識別されるワイヤレスデバイスを前記ターゲットｅＮｏｄｅＢにハンドオーバすることを含む、動的スペクトルアービトラージ（ＤＳＡ）方法。
【請求項４】
前記ＤＰＣにおいて、無線周波数（ＲＦ）スペクトル資源への要求を、第１の電気通信ネットワークに含まれる前記ＤＳＣから受信し、
第２の電気通信ネットワーク内の第２のＤＳＣへの第２の通信リンクを確立し、  前記第２の電気通信ネットワーク内の割り当てに利用可能なＲＦスペクトル資源の量を特定し、
前記第２の電気通信ネットワークの利用可能なＲＦスペクトル資源の一部を前記第１の電気通信ネットワークによるアクセス及び使用に動的に割り当て、
前記割り当てられたＲＦスペクトル資源の使用を開始し得ることを、前記第１の電気通信ネットワーク内の前記ＤＳＣに通知することをさらに含む、請求項３に記載のＤＳＡ方法。
【請求項５】
プロセッサにより実行可能なソフトウェア命令が保存された非一時的なコンピュータ可読媒体であり、
前記保存されたプロセッサにより実行可能なソフトウェア命令は、動的スペクトルポリシコントローラ（ＤＰＣ）内のプロセッサに、
動的スペクトルアービトラージアプリケーションパート（ＤＳＡＡＰ）プロトコルを使用し、第１の通信リンクを介して前記動的スペクトルコントローラ（ＤＳＣ）と通信することを含む動作を実行させるように構成され、
前記保存されたプロセッサにより実行可能なソフトウェア命令は、前記ＤＳＣのプロセッサに、
入札エリアの地理的境界内部にある覆域エリアを有するｅＮｏｄｅＢを識別し、
前記識別されたｅＮｏｄｅＢから適格かつアクティブなワイヤレスデバイスのリストを受信し、
前記受信した適格かつアクティブなワイヤレスデバイスのリスト内のワイヤレスデバイスについての測定レポート及び位置情報を受信し、
前記受信した測定レポートに基づいて、ターゲットｅＮｏｄｅＢの信号強度を特定し、
前記ターゲットｅＮｏｄｅＢの前記特定された信号強度と、地理的境界に対する前記ワイヤレスデバイスの場所とに基づいて、前記適格かつアクティブなデバイスのリストからハンドインするワイヤレスデバイスを選択し、
ハンドインに選択された前記ワイヤレスデバイスにサービスしているｅＮｏｄｅＢにハンドイン開始通信メッセージを送信することを含む動作を実行させるように構成され、
前記保存されたプロセッサにより実行可能なソフトウェア命令は、前記ｅＮｏｄｅＢ内のプロセッサに、
前記適格かつアクティブなワイヤレスデバイスのリストに対する要求を前記ＤＳＣから受信し、
前記ｅＮｏｄｅＢに取り付けられたアクティブなワイヤレスデバイスの往復遅延（ＲＴＤ）値を計算し、
前記ｅＮｏｄｅＢに取り付けられた前記アクティブなワイヤレスデバイスについての測定レポート及び位置情報を受信し、
前記計算されたＲＴＤ値、前記受信した測定レポート、及び前記受信した位置情報に基づいて、適格かつアクティブなワイヤレスデバイスを識別し、
前記識別されたワイヤレスデバイスを含むように、前記適格かつアクティブなワイヤレスデバイスのリストを生成し、
前記生成された適格かつアクティブなワイヤレスデバイスのリストを前記ＤＳＣに送信し、
前記ＤＳＣから送信された前記ハンドイン開始通信メッセージを受信し、
前記受信したハンドイン開始通信メッセージで識別されるワイヤレスデバイスを前記ターゲットｅＮｏｄｅＢにハンドオーバすることを含む動作を実行させるように構成される、非一時的なコンピュータ可読媒体。
【請求項６】
前記保存されたプロセッサにより実行可能なソフトウェア命令は、前記ＤＰＣ内のプロセッサに、
無線周波数（ＲＦ）スペクトル資源の要求を、第１の電気通信ネットワークに含まれる前記ＤＳＣから受信し、
第２の電気通信ネットワーク内の第２のＤＳＣへの第２の通信リンクを確立し、
前記第２の電気通信ネットワーク内の割り当てに利用可能なＲＦスペクトル資源の量を特定し、
前記第２の電気通信ネットワークの利用可能なＲＦスペクトル資源の一部を前記第１の電気通信ネットワークによるアクセス及び使用に動的に割り当て、
前記割り当てられたＲＦスペクトル資源の使用を開始し得ることを、前記第１の電気通信ネットワーク内の前記ＤＳＣに通知することをさらに含む動作を実行させるように構成される、請求項５に記載の非一時的なコンピュータ可読媒体。